(57)【要約】【課題】空気調和機の熱交換能力を確保しながら、ドレンポンプ騒音およびファンと仕切り板による送風騒音の低減を図る。【解決手段】室内ユニット本体１の外殻２の内部に、ファン３と、熱交換器５と、ドレンパン６と、ドレンポンプ１０とを有し、ドレンポンプ１０を外殻２と熱交換器５との間の風路９内で、熱交換器５の配管接続部１１が配設されるコーナー部２ａを除く他の３つのコーナー部２ｂのうちいずれかに配設するとともに、ドレンパン６を覆うカバー１４を設けた。【選択図】図２
2007192488.tif 000002
【特許請求の範囲】
【請求項１】
室内ユニット本体の外殻の内部に、ファンと、熱交換器と、ドレンパンと、ドレンポンプとを有し、前記ドレンポンプを前記外殻と前記熱交換器との間の風路内で、前記熱交換器の配管接続部が配設されるコーナー部を除く他の３つのコーナー部のうちいずれかに配設するとともに、前記ドレンパンを覆うカバーを設けたことを特徴とする天井埋込型空気調和機。
【請求項２】
熱交換器の両端に端板を設けてこの端板同士を仕切り板で結合し、ファンと前記仕切り板との最も短い距離が、前記ファンと前記熱交換器との最も短い距離と同等以上であることを特徴とする請求項１記載の天井埋込型空気調和機。
【請求項３】
ドレンポンプを半円筒形状に成型したカバーで覆うことを特徴とする請求項１又は２記載の天井埋込型空気調和機。
【請求項４】
ドレンポンプのドレン吸い込み口のみを露出するようにカバーを設けたことを特徴とする請求項１〜３記載の天井埋込型空気調和機。
【請求項５】
カバーとドレン吸い込み口の間にシール材を設けたことを特徴とする請求項４記載の天井埋込型空気調和機。
【請求項６】
カバーを金属板又は樹脂で成形したことを特徴とする請求項１〜５記載の天井埋込型空気調和機。
【請求項７】
カバーを発泡スチロールで成形したことを特徴とする請求項１〜５記載の天井埋込型空気調和機。
【発明の詳細な説明】
【技術分野】
【０００１】
本発明は、ドレンポンプ周辺に防音カバーを設けた天井埋込型空気調和機に関するものである。
【背景技術】
【０００２】
従来の天井埋込型空気調和機では冷房時に熱交換器の表面で凝縮した水分を水受けに溜め、ドレンポンプを用いて排水している（例えば、特許文献１参照）。
【０００３】
図４は従来の天井埋込型空気調和機の横断面図である。空気調和機のユニット本体２２内にファン２６と、このファン２６を囲うようにほぼ矩形状に曲げて形成した熱交換器３８とを収容し、この熱交換器３８の管板４９間を仕切り板２８でつなぎ、この仕切り板２８で仕切られた熱交換器３８の外側の空間５６にドレンポンプ３０を収容した空気調和機である。熱交換器３８は管板４９間の距離を小さく形成し、仕切り板２８はドレンポンプ３０を囲う部分２９を熱交換器３８の内側に突出させたものである。
【特許文献１】特開平９−４９６４０号公報
【発明の開示】
【発明が解決しようとする課題】
【０００４】
しかしながら、前記従来の構成では、ドレンポンプ３０の収容部分を小さくしたものであり、組立やメンテナンスの作業性が悪くなる。また、仕切り板２８のドレンポンプ３０を囲う部分２９は熱交換器３８の内側に突出させたものでファン２６に近接しており、ファン２６の回転に伴う圧力変動を受けて、それに起因する騒音が発生し易いという問題がある。
【０００５】
本発明は前記従来の課題を解決するもので、熱交換器の寸法を大きくして能力を確保ちつつ、ドレンポンプ及びファンの運転音を低減させた天井埋込型空気調和機を提供することを目的としている。
【課題を解決するための手段】
【０００６】
上記課題を解決するために本発明の天井埋込型空気調和機は、室内ユニットの外殻の内部にファンと、熱交換器と、ドレンパンと、ドレンポンプとを有し、前記ドレンポンプを室内ユニットの外殻と熱交換器との間の吹出し風路内で、熱交換器の配管接続口が配設されるコーナー部を除く他の３つのコーナー部のうちいずれかに配設するとともに、ドレンポンプの周囲にカバーを設けて覆うものである。
【０００７】
このカバーによってドレンポンプ周囲の空間を狭い範囲で遮蔽するので、効果的に遮音することができ、また、熱交換器の長さを長くして仕切り板を小さくすることで熱交換能力を確保するとともにファンの騒音も低減することができる。
【発明の効果】
【０００８】
上記の構成により、熱交換能力を保ちつつ、ドレンポンプおよびファンと仕切り板を原因とする騒音に対して騒音低減効果が得られる。
【発明を実施するための最良の形態】
【０００９】
第１の発明は、室内ユニットの外殻の内部に、ファンと、熱交換器と、ドレンパンと、ドレンポンプとを有し、前記ドレンポンプを前記外殻と前記熱交換器との間の吹出し風路内で、前記熱交換器の配管接続口が配設されるコーナー部を除く他の３つのコーナー部の
うちいずれかに配設するとともに、前記ドレンパンを覆うカバーを設けることにより、ドレンポンプの運転音を効果的に低減することができる。
【００１０】
第２の発明は、第１の発明において、熱交換器の両端に端板を設けてこの端板同士を仕切り板で結合し、ファンと前記仕切り板との最も短い距離が、前記ファンと前記熱交換器との最も短い距離と同等以上とすることにより、ファンと仕切り板との間の圧力変動で発生する騒音を低減することができる。
【００１１】
第３の発明は、ドレンポンプを半円筒形状に成型したカバーで覆うことにより、熱交換器からの通風抵抗を小さくすることとともに、ドレンポンプの運転音を遮蔽できる。
【００１２】
第４の発明は、ドレンポンプをドレン吸い込み口のみを露出するようにカバーを設けることにより、水の掻き揚げ音を開口部から漏れないようにすることができる。
【００１３】
第５の発明は、特に第４の発明を前記カバーとドレン吸い込み口の間にシール材を設けることにより、カバーからの音の漏れを防止し、騒音をより低減することができる。
【００１４】
第６の発明は、特に第１〜第５の発明を金属板又は樹脂で成形することにより、複雑な形状のカバーでも安価で成型することができる。
【００１５】
第７の発明は、特に第１〜第５の発明を発泡スチロールで成形することにより、発泡スチロール自体の吸音効果によって、より効果的な騒音低減効果が得られる。
【００１６】
以下、本発明の実施の形態について、図面を参照しながら説明する。なお、この実施の形態によって本発明が限定されるものではない。
【００１７】
（実施の形態１）
図１は本発明による天井埋込型空気調和機の縦断面図で、図２は同じくドレンパンをはずした状態の底面図である。図１，２において、室内ユニット本体１は、外殻２の内部のほぼ中央に送風手段のファン３とファンモータ４が取り付けられ、ファン３の周囲には熱交換器５が配置されている。この熱交換器５も外殻２に取り付けられており、熱交換器５の下には冷房時の凝縮水を受けるドレンパン６を配設している。ドレンパン６は、中央部に空気の吸込口７を備え、周囲４辺には吹出口８を備えて風路９を形成している。室内ユニット本体１は、天井面に合わせて設置され、さらに化粧パネル（図示せず）が下面に取り付けられる。
【００１８】
天井埋込型空気調和機は、ドレンパン６が天井面から少しだけ高い位置にすぎず、排水のための配管勾配を殆ど確保できないため、ドレンポンプ１０により適度に揚水する必要がある。本実施の形態では、ドレンポンプ１０を熱交換器５と外郭２の側面との間の風路９で、配管接続部１１のあるコーナー部２ａに隣接するコーナー部２ｂに設けている。配管接続部１１のあるコーナー部２ａ以外であれば、熱交換器５の端板５ａ部分の配管スペース１２が小さくてすみ、熱交換器５の長さを長くできる。また、両端の端板５ａ同士を結合する仕切り板１３も小型化できるとともに、ファン３の方向へ大きく突出することがなく、ファン３の回転に伴って受ける空気の圧力変動が小さくなる。なお、仕切り板１３とファン３との距離は大きいほど良いが、ファン３と熱交換器５との構成もあり、少なくともこれらの最短距離と同等以上としておくことが望ましい。
【００１９】
また、ドレンポンプ１０には発泡スチロールで半円筒形状に成形されたカバー１４を設けて覆っている。これにより、ドレンポンプ１０を運転したときの、ドレンモータ１５や水流の騒音を低減することができる。カバー１４を半円筒形状とすることにより、熱交換
器５通過した風を両隣の風路９ａ，９ｂに振り分けるようにして風路９の通風抵抗を低減している。
【００２０】
以上のように構成することにより、熱交換器５を大きくして熱交換能力を確保し、ドレンポンプ１０にカバー１４を設けて騒音を低減させ、仕切り板１３を小さくしてファン３との送風騒音を低減させることができる。
【００２１】
さらに、このカバー１１の材質を発泡スチロールにすることより、発泡スチロールそのものの吸音効果によってより効果的な騒音低減効果が得られる。
【００２２】
（実施の形態２）
図３は本発明の天井埋込型空気調和機のドレンポンプ近傍の縦断面図である。図において、ドレンポンプ１０のドレン吸込み口１３とカバー１４との間にシール材１７を設けている。ドレンパン６に溜った水を吸い上げるためのドレン吸込み口１６は室内ユニット本体１の下側に位置し、使用者に対して騒音が耳につきやすい位置にある。また、吹出口８からも近接する位置に設置されることになり、ドレンポンプ１０の騒音が室内側に聞こえやすくなってしまうが、本発明の実施例によれば、ドレン吸込み口１６のみを露出するようにカバー１４とシール材１７を設けることで、騒音に対してより低減効果を得ることができる。
【００２３】
また、カバー１１とドレン吸込み口１３の間にシール材１４を設けることにより、ドレン吸込み口１３に設置されているプロペラの振動を吸収することができ、ドレン吸込み口１３の振動音に対してより大きな低減効果が得られる。また、振動音が下方に漏洩するのを防ぐため、ドレンポンプ１本体の振動音も低減させることができる。
【００２４】
なお、カバー１４の材質は金属板や樹脂でもよい。金属板や樹脂を成形しても騒音の低減効果は得られるとともに、安価に成型することができ、複雑な形状にも対応できる。
【産業上の利用可能性】
【００２５】
本発明は上記説明から明らかなように、室内機に設置されたドレンポンプを原因とする騒音に対して効果的に低減させることができるので、ドレンポンプを有する天井吊り下げタイプやダクトタイプの空気調和機に対しても適用できる。
【図面の簡単な説明】
【００２６】
【図１】本発明の天井埋込型空気調和機の縦断面図
【図２】本発明の天井埋込型空気調和機のドレンパンをはずした状態の底面図
【図３】本発明の天井埋込型空気調和機のドレンポンプ近傍の縦断面図
【図４】従来の天井埋込型空気調和機のユニット本体のドレンパンをはずした状態の底面図
【符号の説明】
【００２７】
１  室内ユニット本体
２  外殻
２ａ，２ｂ  コーナー部
３  ファン
５  熱交換器
５ａ  端板
６  ドレンパン
９  風路
１０  ドレンポンプ
１１  配管接続部
１３  仕切り板
１４  カバー
１６  ドレン吸込み口
１７  シール材
【図１】
2007192488.tif 000003
【図２】
2007192488.tif 000004
【図３】
2007192488.tif 000005
【図４】
2007192488.tif 000006